(57)【特許請求の範囲】
【請求項１】
表面に接着剤を用いて補強材を密着被覆することによりコンクリート構造物を補強する工法であって、
コンクリート構造物に穿設される取付孔の孔壁に接しない隙間形成部を長手方向へ延在させて外側周面に複数有するとともに湾曲部分が形成されている中実棒状のアンカ本体およびその基端に突設したおねじ部片を具えたアンカと、前記おねじ部片に適合するめねじ孔を有する治具と、前記取付孔に向かって開放する空所およびその周側壁に設けた水抜孔を有し前記おねじ部片に取り付けられる押え部材とを使用し、前記おねじ部片に前記治具を所定深さ螺装して取り付けておくこと、そして
（１）コンクリート構造物に取付孔を穿設すること、
（２）前記治具に打撃力を加えてその先端面がコンクリート構造物の表面に接するまで前記アンカ本体を前記取付孔に打ち込み、前記湾曲部分が前記取付孔の内部で直線状に変形させられその弾性復元力で孔壁に食い込むことによって前記アンカを固定すること、
（３）前記コンクリート構造物の表面に接着剤を塗布して補強材を密着被覆し且つ前記治具を取り外すこと、
（４）前記押え部材を前記おねじ部片に取り付けて前記補強材に圧着させること、およびこのことにより前記隙間形成部と孔壁とが作る排水路と前記押え部材の空所と水抜孔とによって水分排出経路を形成させること、
を包含してなることを特徴とするコンクリート構造物の補強工法。
【請求項２】
表面に接着剤を用いて補強材を密着被覆することによりコンクリート構造物を補強する工法であって、
コンクリート構造物に穿設される取付孔の孔壁に接しない隙間形成部を長手方向へ延在させて外側周面に複数有するとともに湾曲部分が形成されている中実棒状のアンカ本体およびその基端に突設したおねじ部片を具えたアンカと、前記おねじ部片に適合するめねじ孔と前記取付孔に向かって開放する空所およびその周側壁に設けた水抜孔を有する治具とを使用し、前記おねじ部片に前記治具を所定深さ螺装して取り付けておくこと、そして
（１）コンクリート構造物に取付孔を穿設すること、
（２）前記治具に打撃力を加えてその先端面がコンクリート構造物の表面に接するまで前記アンカ本体を前記取付孔に打ち込み、前記湾曲部分が前記取付孔の内部で直線状に変形させられその弾性復元力で孔壁に食い込むことによって前記アンカを固定すること、
（３）前記コンクリート構造物の表面に前記治具を接触させたまま前記表面に接着剤を塗布して補強材を密着被覆すること、および前記隙間形成部と孔壁とが作る排水路と前記治具の空所と水抜孔とによって水分排出経路を形成させること、
を包含してなることを特徴とするコンクリート構造物の補強工法。
【請求項３】
表面に接着剤を用いて補強材を密着被覆することによりコンクリート構造物を補強する工法であって、
コンクリート構造物に穿設される取付孔の孔壁に接しない隙間形成部を長手方向へ延在させて外側周面に複数有するとともに湾曲部分が形成されている中実棒状のアンカ本体およびその基端に突設したおねじ部片を具えたアンカと、前記おねじ部片に適合するめねじ孔を有する治具と、前記取付孔に向かって開放する空所およびその周側壁に設けた水抜孔を有し前記おねじ部片に取り付けられる押え部材とを使用し、前記おねじ部片に前記治具を所定深さ螺装して取り付けておくこと、そして
（１）コンクリート構造物の表面に接着剤により密着被覆させた補強材の上からコンクリート構造物に取付孔を穿設すること、
（２）前記治具に打撃力を加えてその先端面が前記補強材の表面に接するまで前記アンカ本体を前記取付孔に打ち込み、前記湾曲部分が前記取付孔の内部で直線状に変形させられその弾性復元力で孔壁に食い込むことによって前記アンカを固定すること、
（３）前記治具を取り外し、前記押え部材を前記おねじ部片に取り付けて前記補強材に圧着させること、およびこのことにより前記隙間形成部と孔壁とが作る排水路と前記押え部材の空所と水抜孔とによって水分排出経路を形成させること、を包含してなることを特徴とするコンクリート構造物の補強工法。
【請求項４】
表面に接着剤を用いて補強材を密着被覆することによりコンクリート構造物を補強する工法であって、
コンクリート構造物に穿設される取付孔の孔壁に接しない隙間形成部を長手方向へ延在させて外側周面に複数有するとともに湾曲部分が形成されている中実棒状のアンカ本体およびその基端に突設したおねじ部片を具えたアンカと、前記おねじ部片に適合するめねじ孔と前記取付孔に向かって開放する空所およびその周側壁に設けた水抜孔を有する治具とを使用し、前記おねじ部片に前記治具を所定深さ螺装して取り付けておくこと、そして
（１）コンクリート構造物の表面に接着剤により密着被覆させた補強材の上からコンクリート構造物に取付孔を穿設すること、
（２）前記治具に打撃力を加えてその先端面が前記補強材の表面に接するまで前記アンカ本体を前記取付孔に打ち込み、前記湾曲部分が前記取付孔の内部で直線状に変形させられその弾性復元力で孔壁に食い込むことによって前記アンカを固定すること、
（３）前記治具を残置して前記隙間形成部と孔壁とが作る排水路と前記治具の空所と水抜孔とによって水分排出経路を形成させること、
を包含してなることを特徴とするコンクリート構造物の補強工法。
【請求項５】
前記治具のめねじ孔が基端面に開口しており、前記おねじ部片に前記治具をそれらの基端面を揃えて取り付けておく請求項１，２，３または４に記載したコンクリート構造物の補強工法。
【請求項６】
前記治具の前記めねじ孔の奥端が閉止しており、前記治具を前記奥端に前記おねじ部片の基端が接するまで螺装して取り付けておく請求項１，２，３または４に記載したコンクリート構造物の補強工法。
【発明の詳細な説明】
【０００１】
【発明の属する技術分野】
本発明はコンクリート構造物をその表面に接着剤により補強材を密着被覆することによって補強するにあたり、補強材の剥離防止に有効な水抜き機能を有するアンカを併用する補強工法に関するものである。
【０００２】
【従来の技術】
コンクリート構造物を補強するため、その表面に炭素繊維シート、鋼板などの補強材を接着剤を用いて密着被覆させることが広く知られている。
【０００３】
即ち、コンクリート構造物が例えば橋梁、高架道路、高架鉄道の場合は重量車両の走行に伴う荷重や振動を繰り返し受けることによって亀裂を生じ、また例えばトンネルの場合は地盤による間断のない大荷重を受けることによって亀裂を生じ、構造物自体が劣化することとなるので、橋梁などの床版の下面やトンネルの内面に補強材を接着剤で接着しコンクリート構造物と一体化することにより、亀裂を生じにくい剛性をもたせるものである。
【０００４】
ところが、コンクリート構造物の表面に補強材を密着させて被覆すると、コンクリート構造物に浸透した雨水、地下水などの水分が表面に到達すると接着面を剥離して補強材を浮き上がらせ、補強効果を低下させるという問題を生じる。
【０００５】
その対策として、水分の排出機能を具えたアンカを用いて補強材の浮き上がりを防止する、という考えが特許第２８９３０６６号公報（特開平９−７２０９８号公報）、特許第２９５５２４６号公報（特開平１０−２３７８８９号公報）に提示されている。
【０００６】
前記各公報に記載されているアンカは、先端部に複数の割溝によって分割された拡開片を有するとともに周壁に複数個の窓孔を設けたパイプ状のアンカ本体と、アンカ本体の基端部に取り付けられる座体およびカップ状のキャップとを具えてなり、補強材の上からコンクリート構造物に取付孔を穿設してアンカ本体を嵌入し、次にこのアンカ本体に拡張子を挿入して打ち込むことにより拡開片を拡張して取付孔の孔壁に食い込ませ、そして取付孔に固定されたアンカ本体の基端部に座体をねじ嵌合して補強材に圧着させるとともにキャップを座体にねじ嵌合により取り付けるものである。
【０００７】
このようにしてコンクリート構造物に設置したアンカは、コンクリート構造物内部の水分を窓孔からアンカ本体内部に流入させ、座体とキャップとに囲まれた空所に誘導することによって排出するものである。
【０００８】
【発明が解決しようとする課題】
ところが、水分は窓孔からのみ排出され、従って水分排出能力はアンカ本体表面積に対する窓孔の面積比に依存する。そこで、窓孔の開口面積を大きくすれば設置間隔を広くしても水分を良好に回収し排出することができるが、アンカ本体の機械的強度が著しく低下するという不都合を生じる。反対に、窓孔の開口面積を小さくしてアンカ本体の機械的強度を確保させると、全体の水分排出能力を高めるために設置間隔を狭くする必要があって作業工数を大幅に増加させる、という不利を伴う。加えてアンカ本体の水分排出能力不足を補うため、座体で補強材を押えつけ浮き上がりを防止する、という手段を併用することが必要とされる。
【０００９】
また、前記のアンカはコンクリート構造物に被覆されている補強材の上から設置するものとされていて、アンカ本体を固定してから補強材を被覆するという施工手順に対応できるように考慮されていない、という不自由さをもっている。更に、アンカ本体を取付孔に正確に所定深さ差し込んで固定することが座体を適正に止め着けて補強材の浮き上がりを確実に防止するために必要であり、そのために取付孔の深さを一定にしなければならず、穿孔作業管理が面倒である。
【００１０】
本発明は前記のアンカがもっている、機械的強度と水分排出能力とを両立させることができない、アンカの設置と補強材の被覆との施工手順を選ぶことができない、アンカ本体を正確に所定深さ差し込んで固定することが困難である、という前記課題を解決するためになされたものであって、必要な機械的強度とすぐれた水分排出能力とを兼備したアンカを、その設置と補強材の被覆のいずれを先に行なう場合にも適用して補強材の浮き上がりを防止させることができる補強工法を提供することを目的とする。
【００１１】
【課題を解決するための手段】
本発明は表面に接着剤を用いて補強材を密着被覆することによりコンクリート構造物を補強する際に発生する前記課題を次の各手段によって解決することとした。
【００１２】
即ち、その一つはコンクリート構造物に穿設される取付孔の孔壁に接しない隙間形成部を長手方向へ延在させて外側周面に複数有するとともに湾曲部分が形成されている中実棒状のアンカ本体およびその基端に突設したおねじ部片を具えたアンカと、おねじ部片に適合するめねじ孔を有する治具と、取付孔に向かって開放する空所およびその周側壁に設けた水抜孔を有しおねじ部片に取り付けられる押え部材とを使用し、おねじ部片に治具を所定深さ螺装して取り付けておくものとした。
【００１３】
そして、（１）コンクリート構造物に取付孔を穿設すること、（２）治具に打撃力を加えてその先端面がコンクリート構造物の表面に接するまでアンカ本体を取付孔に打ち込み、湾曲部分が取付孔の内部で直線状に変形させられその弾性復元力で孔壁に食い込むことによってアンカを固定すること、（３）コンクリート構造物の表面に接着剤を塗布して補強材を密着被覆し且つ治具を取り外すこと、（４）押え部材をおねじ部片に取り付けて補強材に圧着させること、およびこのことにより隙間形成部と孔壁とが作る排水路と押え部材の空所と水抜孔とによって水分排出経路を形成させること、を包含してなることをもって第一手段とした。
【００１４】
また、もう一つはコンクリート構造物に穿設される取付孔の孔壁に接しない隙間形成部を長手方向へ延在させて外側周面に複数有するとともに湾曲部分が形成されている中実棒状のアンカ本体およびその基端に穿設したおねじ部片を具えたアンカと、おねじ部片に適合するめねじ孔と取付孔に向かって開放する空所およびその周側壁に設けた水抜孔を有する治具とを使用し、おねじ部片に治具を所定深さ螺装して取り付けておくものとした。
【００１５】
そして、（１）コンクリート構造物に取付孔を穿設すること、（２）治具に打撃力を加えてその先端面がコンクリート構造物の表面に接するまでアンカ本体を取付孔に打ち込み、湾曲部分が取付孔の内部で直線状に変形してその弾性復元力で孔壁に食い込むことによってアンカを固定すること、（３）コンクリート構造物の表面に治具を接触させたまま表面に接着剤を塗布して補強材を密着被覆すること、および隙間形成部と孔壁とが作る排水路と治具の空所と水抜孔とによって水分排出経路を形成させること、を包含してなることをもって第二手段とした。
【００１６】
別の一つは、第一手段と同じアンカ、治具および押え部材を使用し、アンカのおねじ部片に治具を所定深さ螺装して取り付けておくものとし、そして、（１）コンクリート構造物の表面に接着剤により密着被覆させた補強材の上からコンクリート構造物に取付孔を穿設すること、（２）治具に打撃力を加えてその先端面が補強材の表面に接するまでアンカ本体を取付孔に打ち込み、湾曲部分が取付孔の内部で直線状に変形させられその弾性復元力で孔壁に食い込むことによってアンカを固定すること、（３）治具を取り外し、押え部材をおねじ部片に取り付けて補強材に圧着させること、および隙間形成部と孔壁とが作る排水路と押え部材の空所と水抜孔とによって水分排出経路を形成させること、を包含してなることをもって第三手段とした。
【００１７】
また、別のもう一つは、第二手段と同じアンカおよび治具を使用し、アンカのおねじ部片に治具を所定深さ螺装して取り付けておくものとし、そして、（１）コンクリート構造物の表面に接着剤により密着被覆させた補強材の上からコンクリート構造物に取付孔を穿設すること、（２）治具に打撃力を加えてその先端面が補強材の表面に接するまでアンカ本体を取付孔に打ち込み、湾曲部分が取付孔の内部で直線状に変形させられその弾性復元力で孔壁に食い込むことによってアンカを固定すること、（３）治具を残置して隙間形成部と孔壁とが作る排水路と治具の空所と水抜孔とによって水分排出経路を形成させること、を包含してなることをもって第四手段とした。
【００１８】
以上の各手段におけるアンカはアンカ本体が中実棒状であることによって高い機械的強度をもつものとされ、且つその外側周面のほぼ全面を利用して排水路を形成できることと水分を流入させる空所を有しないこととによってすぐれた水分排出能力をもたせることができる。また、治具を用いたことによっておねじ部片のおねじを変形・破損させる心配なくアンカ本体を正確に一定の所定深さ打ち込むことができるとともに、打ち込みと同時に湾曲部分の変形による固定が行なわれアンカ設置作業がきわめて簡単なものとなる。
【００１９】
更に、アンカの設置と補強材の被覆のいずれを先に行なうかを自由に選択できるので状況に応じて作業手順を決定できる利点があり、殊に先にアンカを設置した場合は治具がおねじ部片への接着剤の付着を防止して押え部材の取り付けを容易なものとする。更にまた、アンカの水分排出能力が高いことからそれのみで補強材の浮き上がりを防止することが可能であるが、押え部材を使用する場合は更に確実に浮き上がりを防止することができる。
【００２０】
即ち、本発明によると必要な機械的強度とすぐれた水分排出能力とを兼備したアンカを、その設置と補強材の被覆のいずれを先に行なう場合にも適用して補強材の浮き上がりを防止させることができる補強工法が提供されるものである。
【００２１】
【発明の実施の形態】
図面を参照して本発明の実施の形態を説明すると、先ず図１（Ａ），（Ｂ）はアンカの異なる実施の形態を示すものであって、これらは金属、好ましくはステンレス鋼或いは場合によっては合成樹脂で作られている。
【００２２】
図１（Ａ）のアンカ１Ａは断面正六角形であって適宜長さ且つ中実の角棒からなるアンカ本体２Ａの中央部から先端近くに亘って一側方へ緩やかに湾曲して偏心膨出させた湾曲部分３Ａが形成されているとともに、このアンカ本体２Ａの基端にボルトからなるおねじ部片４Ａを一体に突出させて具えたものであって、おねじ部片４Ａはアンカ本体２Ａの外側周面に全長に亘って長手方向に延在する六個の面の内側に位置する径とされている。アンカ本体２Ａの六個の面は、後述するコンクリート構造物の取付孔の孔壁と接触することがない隙間形成部５Ａである。
【００２３】
図１（Ｂ）のアンカ１Ｂは適宜長さ且つ中実の丸棒からなるアンカ本体２Ｂの中央部から先端近くに亘って一側方へ緩やかに湾曲して偏心膨出させた湾曲部分３Ｂが形成されているとともに、このアンカ本体２Ｂの全長に亘って長手方向へ延びる四本の溝条が周方向等間隔で設けられており、更にアンカ本体２Ｂの基端にボルトからなるおねじ部片４Ｂを一体に突出させて具えたものであって、おねじ部片４Ｂは溝条の底よりも内側に位置する径とされている。アンカ本体２Ｂの四本の溝条は、コンクリート構造物の取付孔の孔壁と接触することがない隙間形成部５Ｂである。
【００２４】
次に、図２（Ａ），（Ｂ），（Ｃ）は治具のそれぞれ異なる実施の形態を示すものであって、これらはアンカ１Ａ，１Ｂと同様の材料で作られる。また、外側周面は通常のナットと同じ正六角形とされ工具が係合容易であるようになっているとともに、アンカ１Ａ，１Ｂのおねじ部片４Ａ，４Ｂの長さと等しいかまたはこれよりも少し小さい高さとされ、且つアンカ本体２Ａ，２Ｂに比べて充分に大きい径とされている。
【００２５】
図２（Ａ）の治具１１Ａはおねじ部片４Ａ．４Ｂに適合するめねじ孔１２Ａを貫通させた台部１３Ａとその外側周縁に沿って先端方向へ一体に突出形成した裾部１４Ａとを具えており、裾部１４Ａの内部は先端面に開放した空所１５Ａを形成している。
【００２６】
図２（Ｂ）の治具１１Ｂはおねじ部片４Ａ，４Ｂに適合するめねじ孔１２Ｂを貫通させた台部１３Ｂとその外側周縁に沿って先端方向へ一体に突出形成した裾部１４Ｂとを具えており、裾部１４Ｂの内部は先端面に開放した空所１５Ｂを形成しているとともに、この空所１５Ｂの周側壁である裾部１４Ｂに外側周面の六つの面のそれぞれに開口させた水抜孔１６Ｂが設けられている。
【００２７】
図２（Ｃ）の治具１１Ｃはおねじ部片４Ａ，４Ｂに適合するめねじ孔１２Ｃを基端面に開口させることなくその奥端を閉止させて有している台部１３Ｃとその外側周縁に沿って先端方向へ一体に突出形成した裾部１４Ｃとを具えており、裾部１４Ｃの内部は先端面に開放した空所１５Ｃを形成しているとともに、この空所１５Ｃの周側壁である裾部１４Ｃに外側周面の六つの面のそれぞれに開口させた水抜孔１６Ｃが設けられている。
【００２８】
更に、図３（Ａ），（Ｂ）は押え部材の異なる実施の形態を示すものであって、これらはアンカ１Ａ，１Ｂ或いは治具１１Ａ，１１Ｂ，１１Ｃと同様の材料で作られる。
【００２９】
図３（Ａ）の押え部材２１Ａは扁平な中空箱状であって、その基端側の頂壁２２Ａの中心におねじ部片４Ａ，４Ｂの挿通孔２５Ａを有しているとともに、先端側の内向きフランジ状の座壁２４Ａの中心にアンカ本体２Ａ，２Ｂの径と等しいかまたはこれよりも少し大径の排水孔２６Ａを有し、また頂壁２２Ａの挿通孔２５Ａの周囲および周側壁２３Ａに内部の空所２７Ａと外部の大気とを連通する小径の水抜孔２８Ａの複数個が設けられている。
【００３０】
図３（Ｂ）の押え部材２１Ｂは深皿状であって、その基端側の頂壁２２Ｂの中心におねじ部片４Ａ，４Ｂの挿通孔２５Ｂを有しているとともに、周側壁２３Ｂの先端に外向きフランジ状の座壁２４Ｂを有しており、周側壁２３Ｂで囲まれた空所の先端開放面がアンカ本体２Ａ，２Ｂよりも大径の排水孔２６Ｂを形成し、且つ周側壁２３Ｂに内部の空所２７Ｂと外部の大気とを連通する小径の水抜孔２８Ｂの複数個が設けられている。
【００３１】
図４は請求項１に記載した発明の施工手順の一例を説明する図であって、この実施の形態では図１（Ａ）のアンカ１Ａと図２（Ａ）の治具１１Ａと図３（Ａ）の押え部材２１Ａとを用いている。そして、おねじ部片４Ａにめねじ孔１２Ａを螺装しおねじ部片４Ａの基端面と治具１１Ａの基端面とを一致させた状態でアンカ１Ａに治具１１Ａを取り付けておく。
【００３２】
先ず、コンクリート構造物Ｃの所定個所に穿孔工具を用いて図４（Ａ）に示したような取付孔Ｈを穿設する。この取付孔Ｈは径がアンカ本体２Ａの外径と等しいかまたはこれよりも僅かに大きく、深さがアンカ本体２Ａの湾曲部分３Ａを形成する前の直線状態のときの長さと等しいかまたはこれよりも長く形成される。
【００３３】
次に、前記のように予め治具１１Ａを取り付けておいたアンカ１Ａのアンカ本体２Ａの先端部を取付孔Ｈに挿入し、治具１１Ａの基端面をハンマなどで叩打して打ち込むと、図４（Ｂ）に示したように湾曲部分３Ａが孔壁に押されて直線状に弾性変形して取付孔Ｈに進入する。このとき、おねじ部片４Ａは治具１１Ａの基端面から突出していないので、ねじ部分を直接叩打して損傷させる、という心配を伴うことなく打ち込むことができる。
【００３４】
打ち込みは図４（Ｃ）に示されているように治具１１Ａの先端面がコンクリート構造物Ｃの表面に接するまで行なうものであり、治具１１Ａをおねじ部片４Ａに所定深さ、本実施の形態ではそれらの基端面が一致する深さに螺装しているため、アンカ本体２Ａを正確に一定深さ打ち込むことができ、従ってコンクリート構造物Ｃの表面からおねじ部片４Ａが一定長さ突出する。取付孔Ｈに打ち込まれたアンカ本体２Ａの湾曲部分３Ａが自身の弾性復元力で孔壁に食い込むことによって、アンカ１Ａは強固に固定される。
【００３５】
打ち込みを終ったとき、図４（Ｃ）に示したように治具１１Ａをおねじ部片４Ａに取り付けたままコンクリート構造物Ｃの表面に接着剤Ａを塗布する。塗布手段は任意であるが、おねじ部片４Ａが治具１１Ａに包み込まれているので付着させて後述する押え部材２１Ａの取り付けに支障を与える、という心配を伴うことなく塗布することができる。
【００３６】
接着剤Ａを塗布したコンクリート構造物Ｃの表面に図４（Ｄ）に示したように補強材Ｒを重ねて被覆し押し付けることにより、接着剤Ａの接着力で補強材Ｒをコンクリート構造物Ｃの表面に密着させる。治具１１Ａは補強材Ｒの被覆に先立って、或いは被覆後におねじ部片４Ａから取り外すものとする。尚、取り外した治具１１Ａは別のアンカ１Ａに取り付けて繰り返し使用することができる。
【００３７】
以上の作業を終ったとき、押え部材２１Ａをおねじ部片４Ａを嵌めて座壁２４Ａを補強材Ｒに重ねるとともに、挿通孔２５Ａから突出したおねじ部片４Ａの基端部にナットＮを螺装し締め付けることによって、図４（Ｅ）に示したように押え部材２１Ａが補強材Ｒをコンクリート構造物Ｃの表面に圧着する。
【００３８】
取付孔Ｈに嵌入したアンカ本体２Ａの長手方向全長に延在する六個の隙間形成部５Ａは、孔壁と協働して押え部材２１Ａの内部に開放した排水路Ｄを形成する。この排水路Ｄはアンカ本体２Ａのかどである稜線を除くほぼ全外側周面に形成され、コンクリート構造物Ｃ内部の水分が取付孔Ｈの孔壁から滲出したとき、その全部が排水路Ｄに入ることとなる。そして、滲出した水分は排水路Ｄを通って押え部材２１Ａの内部の空所２７Ａに入り水抜孔２８Ａから少しずつ大気中へ排出される。これらの排水路Ｄ、空所２７Ａ、水抜孔２８Ａは水分排出経路Ｗ１を形成する。
【００３９】
本実施の形態によると、アンカ１Ａが高い水分排出能力を有していることによって、その設置間隔を広くしても水分を良好に排出して補強材Ｒの浮き上がりを防止することができるものであり、加えて押え部材２１Ａを圧着させることによって更に確実に浮き上がりを防止することができる。
【００４０】
図５は請求項２に記載した発明の施工手順の一例を説明する図であって、この実施の形態では図１（Ａ）のアンカ１Ａと図２（Ｂ）の治具１１Ｂとを用いている。そして、おねじ部片４Ａにめねじ孔１２Ｂを螺装しおねじ部片４Ａの基端面と治具１１Ｂの基端面とを一致させた状態でアンカ１Ａに治具１１Ｂを取り付けておく。
【００４１】
本実施の形態においても、先ずコンクリート構造物Ｃの所定個所に穿孔工具を用いて図５（Ａ）に示したような取付孔Ｈを穿設するものであり、この取付孔Ｈの径および深さは図４（Ａ）に示したものと同じとされる。
【００４２】
次に、前記のように治具１１Ｂを取り付けておいたアンカ１Ａのアンカ本体２Ａの先端部を取付孔Ｈに挿入し、治具１１Ｂの基端面をハンマなどで叩打してその先端面がコンクリート構造物Ｃの表面に接するまでアンカ本体２Ａを取付孔Ｈに打ち込む。このとき、湾曲部分３Ａが孔壁に押されて直線状に弾性変形して取付孔Ｈに進入する図５（Ｂ）に示した状態を経て図５（Ｃ）に示した打ち込み完了に至り、湾曲部分３Ａが自身の弾性復元力で孔壁に食い込むことにより、アンカ１Ａが強固に固定されることは図４に示した実施の形態と同じである。また、おねじ部片４Ａのねじ部分を直接叩打して損傷させる、という心配を伴うことなく打ち込みができること、およびアンカ本体２Ａを正確に一定深さ打ち込むことができることも図４に示した実施の形態と同じである。
【００４３】
打ち込みを終ったとき、図５（Ｄ）に示したように治具１１Ｂをおねじ部片４Ａに取り付けたままコンクリート構造物Ｃの表面に接着剤Ａを塗布し、続いて補強材Ｒを重ねて被覆し押し付けることにより、接着剤Ａの接着力で補強材Ｒをコンクリート構造物Ｃの表面に密着させる。
【００４４】
本実施の形態においても、アンカ本体２Ａがほぼ全外側周面に排水路Ｄを形成することによって高い水分排出能力を有するものであり、排水路Ｄを通った水分は治具１１Ｂの空所１５Ｂに入り水抜孔１６Ｂから少しずつ大気中へ排出される。これらの排水路Ｄ、空所１５Ｂ、水抜孔１６Ｂは水分排出経路Ｗ２を形成する。
【００４５】
そして、このように高い水分排出能力をもったアンカ１Ａの設置間隔をコンクリート構造物Ｃの環境に応じて適宜に設定することにより、押え部材２１Ａ，２１Ｂを用いなくても補強材Ｒの浮き上がりを防止する、という目的を達成することができる。
【００４６】
図６は請求項３に記載した発明の施工手順の一例を説明する図であって、この実施の形態では図１（Ａ）のアンカ１Ａと図２（Ａ）の治具１１Ａと図３（Ｂ）の押え部材２１Ｂとを用いている。そして、おねじ部片４Ａにめねじ孔１２Ａを螺装しおねじ部片４Ａの基端面と治具１１Ａの基端面とを一致させた状態でアンカ１Ａに治具１１Ａを取り付けておくことは図４に示したものと同じである。
【００４７】
本実施の形態は、先ず表面に補強材Ｒが接着剤Ａにより密着被覆されたコンクリート構造物Ｃの所定個所に向かって、補強材Ｒの上から穿孔工具により図６（Ａ）に示したような取付孔Ｈを穿設する。この取付孔Ｈの径および深さは図４（Ａ），図５（Ａ）に示したものと同じとされる。
【００４８】
次に、前記のように治具１１Ａを取り付けておいたアンカ１Ａのアンカ本体２Ａの先端部を取付孔Ｈに挿入し、治具１１Ａの基端面をハンマなどで叩打してその先端面が補強材Ｒの表面に接するまでアンカ本体２Ａを取付孔Ｈに打ち込む。このとき、湾曲部分３Ａが孔壁に押されて直線状に弾性変形して取付孔Ｈに進入する図６（Ｂ）に示した状態を経て図６（Ｃ）に示した打ち込み完了に至り、湾曲部分３Ａが自身の弾性復元力で孔壁に食い込むことにより、アンカ１Ａが強固に固定されることは図４，図５に示した実施の形態と同じである。また、おねじ部片４Ａのねじ部分を直接叩打して損傷させる、という心配を伴うことなく打ち込みができること、およびアンカ本体２Ａを正確に一定深さ打ち込むことができることも図４，図５に示した実施の形態と同じである。
【００４９】
打ち込みを終ったとき治具１１Ａをおねじ部片４Ａから取り外し、図６（Ｄ）に示したように押え部片２１Ｂをおねじ部片４Ａに嵌めて座壁２４Ｂを補強材Ｒに重ねるとともに、挿通孔２５Ｂから突出したおねじ部片４Ａの基端部にナットＮを螺装し締め付けることによって、押え部材２１Ｂが補強材Ｒをコンクリート構造物Ｃの表面に圧着する。
【００５０】
本実施の形態においても、アンカ本体２Ａがほぼ全外側周面に排水路Ｄを形成することによって高い水分排出能力を有するものであり、排水路Ｄを通った水分は押え部材２１Ｂの空所２７Ｂに入り水抜孔２８Ｂから少しずつ大気中へ排出される。これらの排水路Ｄ、空所２７Ｂ、水抜孔２８Ｂは水分排出経路Ｗ３を形成する。
【００５１】
そして、アンカ１Ａが高い水分排出能力を有していることによって、その設置間隔を広くしても水分を良好に排出して補強材Ｒの浮き上がりを防止でき、加えて押え部材２１Ｂによって浮き上がりを更に確実に防止できる、という図４に示した実施の形態と同様の効果が得られるものである。
【００５２】
図７は請求項４に記載した発明の施工手順の一例を説明する図であって、この実施の形態では図１（Ａ）のアンカ１Ａと図２（Ｃ）の治具１１Ｃとを用いている。そして、おねじ部片４Ａにめねじ孔１２Ｃを螺装しおねじ部片４Ａの基端面にめねじ孔１２Ｃの奥端面が接した状態でアンカ１Ａに治具１１Ｃを取り付けておく。
【００５３】
本実施の形態においても、先ず表面に補強材Ｒが接着剤Ａにより密着被覆されたコンクリート構造物Ｃの所定個所に向かって、補強材Ｒの上から穿孔工具により図７（Ａ）に示したような取付孔Ｈを穿設する。この取付孔Ｈの径および深さも図４（Ａ），図５（Ａ），図６（Ａ）に示したものと同じとされる。
【００５４】
次に、前記のように治具１１Ｃを取り付けておいたアンカ１Ａのアンカ本体２Ａの先端部を取付孔Ｈに挿入し、治具１１Ｃの基端面をハンマなどで叩打してその先端面が補強材Ｒの表面に接するまでアンカ本体２Ａを取付孔Ｈに打ち込む。このとき、湾曲部分３Ａが孔壁に押されて直線状に弾性変形して取付孔Ｈに進入する図７（Ｂ）の状態を経て図７（Ｃ）に示した打ち込み完了に至り、湾曲部分３Ａが自身の弾性復元力で孔壁に食い込むことにより、アンカ１Ａが強固に固定されることは図４，図５，図６に示した実施の形態と同じである。また、おねじ部片４Ａのねじ部分を直接叩打して損傷させる、という心配を伴うことなく打ち込みができること、およびアンカ本体２Ａを正確に一定深さ打ち込むことができることも図４，図５，図６に示した実施の形態と同じである。
【００５５】
打ち込みを終ったとき、治具１１を取り外すことなくそのまま残置させることによって施工が完了するものであり、本実施の形態においても、アンカ本体２Ａがほぼ全外側周面に排水路Ｄを形成することによって高い水分排出能力を有し、排水路Ｄを通った水分は治具１１Ｃの空所１５Ｃに入り水抜孔１６Ｃから少しずつ大気中へ排出される。これらの排水路Ｄ、空所１５Ｃ、水抜孔１６Ｃは水分排出経路Ｗ４を形成する。
【００５６】
そして、アンカ１Ａが高い水分排出能力を有していることによって、その設置間隔を広くしても水分を良好に排出して補強材Ｒの浮き上がりを防止することができるものであり、加えて治具１１Ｃを圧着させることによって更に確実に浮き上がりを防止することができる。
【００５７】
本実施の形態では治具１１Ｃをアンカ１Ａの打ち込みの際にハンマなどの打撃を受ける部材と、打ち込み後に水分排出および補強材Ｄの浮き上がり防止を行なう部材とに兼用させたので、施工に要する部品点数および工数が少ないという利点がある。
【００５８】
前記各実施の形態において、治具１１Ａ，１１Ｂ，１１Ｃをアンカ１Ａのねじ部片４Ａに所定の一定深さに螺装してコンクリート構造物Ｃまたは補強材Ｒに接するまで打ち込むことは、おねじ部片４Ａを正確に一定長さ突出させて押え部材２１Ａ，２１Ｂの取り付けを確実なものとするばかりか、排水路Ｄを通った水分を空所１５Ｂ，１５Ｃ，２７Ａ，２７Ｂにもれなく導入し水抜孔１６Ｂ，１６Ｃ，２８Ａ，２８Ｂから小水滴または水蒸気として大気中に少しずつ排出させることを可能とし、車両や歩行者に大きな水滴が当たることが防止される、という利点がもたらされる。
【００５９】
尚、前記各実施の形態では図１（Ａ）に示したアンカ１Ａを使用したが、図１（Ｂ）に示したアンカ１Ｂを使用しても実質的に同じである。
【００６０】
【発明の効果】
以上のように、本発明によると必要な機械的強度と高い水分排出能力とを兼備したアンカを用いてその設置と補強材の被覆とのいずれを先に行なう場合であっても、コンクリート構造物内部の水分による補強材の浮き上がりを確実に防止できる信頼性ある補強を行なうことができるものである。
【図面の簡単な説明】
【図１】（Ａ），（Ｂ）は本発明に使用するアンカの異なる実施の形態を示す斜視図。
【図２】（Ａ），（Ｂ），（Ｃ）は本発明に使用する治具の異なる実施の形態を示す縦断面図。
【図３】（Ａ），（Ｂ）は本発明に使用する押え部材の異なる実施の形態を示す縦断面図。
【図４】本発明の施工手順の第一の実施の形態を説明する縦断面図。
【図５】本発明の施工手順の第二の実施の形態を説明する縦断面図。
【図６】本発明の施工手順の第三の実施の形態を説明する縦断面図。
【図７】本発明の施工手順の第四の実施の形態を説明する縦断面図。
【符号の説明】
１Ａ，１Ｂ  アンカ，  ２Ａ，２Ｂ  アンカ本体，３Ａ，３Ｂ  湾曲部分，４Ａ，４Ｂ  おねじ部片，５Ａ，５Ｂ  隙間形成部，１１Ａ，１１Ｂ，１１Ｃ  治具，１２Ａ，１２Ｂ，１２Ｃ  めねじ孔，１５Ａ，１５Ｂ，１５Ｃ  空所，１６Ａ，１６Ｂ，１６Ｃ  水抜孔，２１Ａ，２１Ｂ  押え部材，２７Ａ，２７Ｂ  空所，２８Ａ，２８Ｂ  水抜孔，Ａ  接着剤，Ｃ  コンクリート構造物，Ｄ  排水路，Ｈ  取付孔，Ｒ  補強材，Ｗ１，Ｗ２，Ｗ３，Ｗ４  水分排出経路，
【図１】
0003927028.tif 000002
【図２】
0003927028.tif 000003
【図３】
0003927028.tif 000004
【図４】
0003927028.tif 000005
【図５】
0003927028.tif 000006
【図６】
0003927028.tif 000007
【図７】
0003927028.tif 000008